(57)【要約】【課題】簡素な構造でアクチュエータを保護することができる液体吐出装置を提供する。【解決手段】液体吐出装置は、第１フレームと、流路部材と、アクチュエータと、第２フレームと、ＩＣと、付勢部材と、を備え、前記付勢部材は、前記第１フレームの内周面から外周面へ向かって延びる第１部分を有し、前記第２フレームは、前記第１部分と対向し、前記第１方向において前記第１部分および前記第１フレームと並ぶ第２部分と、前記第１方向において前記第２部分に対してオフセットし、前記第１フレームと対向し、前記第１方向において前記第１フレームと並ぶ第３部分と、を有し、前記第３部分は、前記第１方向からみて前記付勢部材の外周を囲うように環状に形成され、前記付勢部材の外周を囲む溝と、前記溝に収容されているガスケットと、を有する。【選択図】図１０
2018171855.tif 000002
【特許請求の範囲】
【請求項１】
第１方向に貫通する第１貫通孔が形成された第１フレームと、
前記第１フレームの前記第１方向における一方の表面に対して固定された流路部材と、
前記第１フレームの前記貫通孔の中に配されたアクチュエータと、
前記第１方向に貫通する第２貫通孔が形成され、前記第１フレームの前記第１方向における他方の表面に配された第２フレームと、
前記第２貫通孔の中に配されたＩＣと、
前記第１方向において前記アクチュエータと前記ＩＣとの間に配され、前記ＩＣを前記アクチュエータから離れる向きに付勢する付勢部材と、を備え、
前記付勢部材は、前記第１フレームの内周面から外周面へ向かって延びる第１部分を有し、
前記第２フレームは、
前記第１部分と対向し、前記第１方向において前記第１部分および前記第１フレームと並ぶ第２部分と、
前記第１方向において前記第２部分に対してオフセットし、前記第１フレームと対向し、前記第１方向において前記第１フレームと並ぶ第３部分と、を有し、
前記第３部分は、前記第１方向からみて前記付勢部材の外周を囲うように環状に形成され、
前記付勢部材の外周を囲む溝と、
前記溝に収容されているガスケットと、を有する
ことを特徴とする液体吐出装置。
【請求項２】
前記ガスケットは、ゴム部材である
ことを特徴とする請求項１に記載の液体吐出装置。
【請求項３】
前記第１フレームに設けられ、前記第１方向に貫通する第３貫通孔と、
前記第２フレームに設けられ、前記第１方向に貫通し、前記第３貫通孔に連なる第４貫通孔とを備え、
前記溝は、前記第４貫通孔を囲う部分を有し、
前記ガスケットは、前記第４貫通孔の周囲を囲う部分を有する
ことを特徴とする請求項１又は請求項２に記載の液体吐出装置。
【請求項４】
前記第２フレームには、前記ガスケットを囲う部分に、螺子が挿通する挿通孔が設けられ、
前記第１フレームには、前記挿通孔に整合し、前記螺子が螺合する螺子穴が設けられている
ことを特徴とする請求項１から請求項３までのいずれか一つに記載の液体吐出装置。
【請求項５】
前記ＩＣと付勢部材との間に配され、前記付勢部材側の一面に、前記ＩＣに電気的に接続されている回路部品が実装されている回路基板を備え、
前記付勢部材には、前記第１方向において前記回路部品を囲う凹部が設けられている
ことを特徴とする請求項１から請求項４までのいずれか一つに記載の液体吐出装置。
【請求項６】
前記ＩＣと直接または間接的に接する放熱部材を備え、
前記第２フレームは、前記放熱部材を支持していることを特徴とする請求項１から請求項５までのいずれか一つに記載の液体吐出装置。
【請求項７】
前記ＩＣと直接または間接的に接する金属部材を備え、
前記第２フレームは、前記金属部材を支持していることを特徴とする請求項１から請求項５までのいずれか一つに記載の液体吐出装置。
【請求項８】
前記第２貫通孔内に配され、前記ＩＣと直接または間接的に接する放熱部材と、
前記放熱部材の外周面と、前記第２貫通孔の内周面との間を封止するゴム部材と、
を備えていることを特徴とする請求項１から請求項５までのいずれか一つに記載の液体吐出装置。
【請求項９】
前記第２貫通孔内に配され、前記ＩＣと直接または間接的に接する金属部材と、
前記金属部材の外周面と、前記第２貫通孔の内周面との間を封止するゴム部材と、
を備えていることを特徴とする請求項１から請求項５までのいずれか一つに記載の液体吐出装置。
【請求項１０】
第１フレームは金属であり、
第２フレームは樹脂であることを特徴とする請求項１から請求項９までのいずれか一つに記載の液体吐出装置。  
【請求項１１】
付勢部材は、前記第１部分から前記ＩＣ側に突出する板状の弾性部を有することを特徴とする請求項１から請求項１０までのいずれか一つに記載の液体吐出装置。
【請求項１２】
第１方向に貫通する第１貫通孔が形成された第１フレームと、
前記第１フレームの前記第１方向における一方の表面に対して固定された流路部材と、
前記第１フレームの前記貫通孔の中に配されたアクチュエータと、
前記第１方向に貫通する第２貫通孔が形成され、前記第１フレームの前記第１方向における他方の表面に配された第２フレームと、
前記第２貫通孔の中に配されたＩＣと、
前記第１方向において前記アクチュエータと前記ＩＣとの間に配され、前記ＩＣを前記アクチュエータから離れる向きに付勢する付勢部材と、を備え、
前記付勢部材は、前記第１フレームの内周面から外周面へ向かって延びる第１部分を有し、
前記第２フレームは、
前記第１部分と対向し、前記第１方向において前記第１部分および前記第１フレームと並ぶ第２部分と、
前記第１方向において前記第２部分に対してオフセットし、前記第１フレームと対向し、前記第１方向において前記第１フレームと並ぶ第３部分と、を有し、
前記第３部分は、前記第１方向からみて前記付勢部材の外周を囲うように環状に形成され、
前記付勢部材の外周を囲む溝と、
前記溝に収容されているゴム部材と、を有する
ことを特徴とする液体吐出装置。
【発明の詳細な説明】
【技術分野】
【０００１】
本開示は、液体を吐出する液体吐出装置に関する。
【背景技術】
【０００２】
液体吐出装置は、第１方向に貫通する第１貫通孔が形成された第１フレームと、第１フレームの第１方向における一方の表面に対して固定された流路部材と、第１フレームの第１貫通孔の中に配されたアクチュエータとを備える。また、液体吐出装置は、第１方向に貫通する第２貫通孔が形成され、第１フレームの第１方向における他方の表面に配された第２フレームと、第２貫通孔の中に配されたＩＣとを備える。
【０００３】
液体吐出装置において、流路部材には、液体の吐出口と、流路部材内に吐出口に連なるように設けられ、外部から供給される液体が通流する流路とを有する。ＩＣからの駆動信号に基づいてアクチュエータが駆動することにより、流路部材に圧力変化が生じ、吐出口から液体が吐出される。
【０００４】
液体吐出装置の駆動に伴って、ＩＣが発熱する為、液体吐出装置は、ＩＣに上側から接する放熱部材を備える場合がある（例えば、特許文献１参照）。
【先行技術文献】
【特許文献】
【０００５】
【特許文献１】特開２０１３−２０２８４０号公報
【発明の概要】
【発明が解決しようとする課題】
【０００６】
しかしながら、他の装置への組み付けの際等に、放熱部材側から加重を受けた際に、アクチュエータに負荷が加わり、アクチュエータが破壊されてしまう虞がある。
【０００７】
本開示は、斯かる事情に鑑みてなされたものであり、その目的とするところは、簡素な構造でアクチュエータを保護することができる液体吐出装置を提供することにある。
【課題を解決するための手段】
【０００８】
本開示の一実施形態に係る液体吐出装置は、第１方向に貫通する第１貫通孔が形成された第１フレームと、前記第１フレームの前記第１方向における一方の表面に対して固定された流路部材と、前記第１フレームの前記貫通孔の中に配されたアクチュエータと、前記第１方向に貫通する第２貫通孔が形成され、前記第１フレームの前記第１方向における他方の表面に配された第２フレームと、前記第２貫通孔の中に配されたＩＣと、前記第１方向において前記アクチュエータと前記ＩＣとの間に配され、前記ＩＣを前記アクチュエータから離れる向きに付勢する付勢部材と、を備え、前記付勢部材は、前記第１フレームの内周面から外周面へ向かって延びる第１部分を有し、前記第２フレームは、前記第１部分と対向し、前記第１方向において前記第１部分および前記第１フレームと並ぶ第２部分と、前記第１方向において前記第２部分に対してオフセットし、前記第１フレームと対向し、前記第１方向において前記第１フレームと並ぶ第３部分と、を有し、前記第３部分は、前記第１方向からみて前記付勢部材の外周を囲うように環状に形成され、前記付勢部材の外周を囲む溝と、前記溝に収容されているガスケットと、を有することを特徴とする。
【発明の効果】
【０００９】
本開示の一実施形態によれば、付勢部材により、ＩＣをアクチュエータから離れる向きに付勢し、ＩＣ側からの加重に対し、アクチュエータを保護することが可能となる。第２部分と第１フレームとの間に付勢部材の第１部分を収容することで、第２フレーム及び第１フレームに挟んで固定することが可能になるので、付勢部材を固定するための螺子及びねじ止めのスペース等が不要となり、簡素な構造で付勢部材を固定することができる。したがって、簡素な構造でアクチュエータを保護することができる。ガスケットにより第２フレーム及び第１フレーム間を封止して、第２フレーム及び第１フレームの中への異物の侵入を防ぐことができる。
【図面の簡単な説明】
【００１０】
【図１】本実施の形態に係るプリンタの構成を示す概略図である。
【図２】インクジェットヘッドの構成の概略図である。
【図３】ヘッドユニットの斜視図である。
【図４】ヘッドユニットの分解斜視図である。
【図５】図３のＶ−Ｖ線による断面図である。
【図６】図５のＶＩ−ＶＩ線による断面図である。
【図７】第２フレームの下面図である。
【図８】第２フレームの側面図である。
【図９】図７のＩＸ−ＩＸ線による断面図である。
【図１０】第２フレームの下面を示す概略図である。
【図１１】ヘッドユニットの部分拡大断面図である。
【図１２】アクチュエータ及び流路基板の構造を示す部分拡大断面図である。
【図１３】アクチュエータ及び流路基板の構造を示す模式的平面図である。
【図１４】付勢部材の斜視図である。
【発明を実施するための形態】
【００１１】
以下、本開示をその実施の形態を示す図面に基づいて詳述する。
図１に示すようにプリンタ１００は、筐体１と、該筐体１内に配されたプラテン２、４つのインクジェットヘッド３、２つのローラ４、及び制御装置５とを備える。なお、以下の説明において使用する前後、左右及び上下の方向は各図中に示す。
【００１２】
プラテン２上には、プリンタ１００による印刷が行われる記録用紙１０１が載置され、前後方向に搬送される。２つのローラ４は、プラテン２の前方及び後方夫々に設置されており、２つのローラ４の回転により記録用紙１０１が後方から前方に搬送される。
【００１３】
各インクジェットヘッド３は、外形が左右方向に長い矩形板状をなし、上下方向においてプラテン２に対向配置されており、記録用紙１０１がプラテン２上に載置されている場合、記録用紙１０１の紙面に対向する。４つのインクジェットヘッド３は、プラテン２と所定距離離れるように、左右方向の両端部を保持体３ａにより保持されている。４つのインクジェットヘッド３は、二つのローラ４間に前後方向に並設されている。
【００１４】
また、４つのインクジェットヘッド３は、夫々が一色に対応しており、例えば、シアン、マゼンタ、イエロー、ブラックに対応する。なお、インクジェットヘッド３の個数は、４つに限られない。
【００１５】
制御装置５は、ＦＰＧＡ（Field-Programmable Gate Array）と、ＲＯＭ(Read Only Memory)、ＲＡＭ(Random Access Memory)、ＥＥＰＲＯＭ(Electrically Erasable Programmable Read-Only Memory)を備える。尚、ＦＰＧＡ、ＲＯＭ、ＲＡＭ、ＥＥＰＲＯＭの図示を省略する。また、制御装置５は、パーソナルコンピュータ等の外部機器と相互通信が可能である。制御装置５は、外部機器又はプリンタ１００が備える図示しない操作部からの指示により、前記ＲＯＭに格納されたプログラムに従って４つのインクジェットヘッド３及び二つのローラ４の動作を制御する。なお、ＦＰＧＡに代えてＣＰＵ（Central Processing Unit ）又はＭＰＵ（Microprocessor Unit ）を使用してもよい。
【００１６】
制御装置５は二つのローラ４を駆動する図示しないモータを作動させて、二つのローラ４の動作を制御し、記録用紙１０１の搬送を行う。制御装置５は、記録用紙１０１の搬送中に各インクジェットヘッド３を作動させて、記録用紙１０１にインクを吐出させる。
【００１７】
図２においては、インクジェットヘッド３を下方向から見ている。図２に示すように、インクジェットヘッド３は、矩形の支持板３０と、該支持板３０に保持された複数のヘッドユニット６（図では９個）とを有する。ヘッドユニット６は、インクジェットヘッド３におけるプラテン２の対向面側に配されている。
【００１８】
また、複数のヘッドユニット６は、前方側の列及び後方側の列に分かれて並設されている。図２中においては、前方側の列において、ヘッドユニット６は左右方向に４個並設され、後方側の列において、左右方向に５個並設されている。なお、ヘッドユニット６の個数は、図示の個数に限られない。ヘッドユニット６におけるプラテン２への対向面には、後述するようにインクを吐出する吐出口６ａが設けられている。なお、図２は、概略図であり、吐出口６ａの個数を省略して記載している。
【００１９】
インクジェットヘッド３には、支持板３０の上方にインクを貯留するリザーバ（不図示）が重ねられている。リザーバは、図示しないインクカートリッジに接続されており、該インクカートリッジのインクの供給を受け、該インクを所定量貯留する。リザーバは、後述のパイプ６４を介して各ヘッドユニット６と接続されており、ヘッドユニット６にインクを供給する。
【００２０】
図３〜１４を参照し、ヘッドユニット６の構造を説明する。９個のヘッドユニット６は夫々、同様の構造をなしている。ヘッドユニット６は、第１フレーム６０と、流路部材６１と、第２フレーム６２と、ホルダ６３と、４本のパイプ６４とを備える。
【００２１】
第１フレーム６０は、金属であり、左右方向に長い矩形枠状をなし、中央に上下方向に貫通する第１大孔６０ａが設けられている。第１フレーム６０には、上下方向に貫通する４つの矩形状の第１小孔６０ｂと、６つの螺子穴６０ｃが設けられている。４つの矩形状の第１小孔６０ｂと、一の螺子穴６０ｃは、第１フレーム６０の右辺部に前後方向に沿って並んでいる。この一の螺子穴６０ｃは前後方向における右辺部の中央に位置する。すなわち、２つの第１小孔６０ｂと、他の２つの第１小孔６０との間に、一の螺子孔６０ｃが位置している。他の螺子穴６０ｃは、第１フレーム６０の４つの角部分夫々と、後辺部の長手方向中央部に位置している。
【００２２】
流路部材６１は、上下方向に互いに積層された複数の金属板により構成されている。流路部材６１は左右方向に長い矩形板状をなし、上面が第１フレーム６０の下面に接着剤により固定されている。図１２に示すように、流路部材６１は、ノズルプレート６１ａ、振動板６１ｂを備える。ノズルプレート６１ａには、複数の吐出口６ａが左右方向（図１２の紙面垂直方向）に並んでいる。複数の吐出口６ａそれぞれの上側に圧力室６１ｃが形成されている。圧力室６１ｃは後述する共通流路６１ｇに連なる。振動板６１ｂは圧力室６１ｃの上側に設けられており、圧力室６１ｃの上部の開口を塞いでいる。流路部材６１は、後述するように、アクチュエータに通電することにより、吐出口６ａからインクを吐出する。
【００２３】
図１３に示すように、流路部材６１は、液体が供給される二つの供給口６１ｅを備える。二つの供給口６１ｅは流路部材６１の右縁部において前後方向に並んでいる。流路部材６１の右縁部において、二つの供給口６１ｅの間に液体を排出する二つの排出口６１ｆが前後方向に並んでいる。
【００２４】
一方の供給口６１ｅと、この供給口６１ｅに隣り合う一方の排出口６１ｆとは、平面視Ｕ状をなす共通流路６１ｇによって連結されている。共通流路６１ｇは流路部材６１の内部に形成されており、各圧力室６１ｃに連なる。また、共通流路６１ｇは、供給口６１ｅ及び排出口６１ｆを介して、第１小孔６０ｂに連なる。インクタンクからパイプ６４及び第１小孔６０等を介して供給口６１ｅに供給されたインクは共通通路６１ｇを通って圧力室６１ｃに至る。
【００２５】
また他方の供給口６１ｅと、この供給口６１ｅに隣り合う他方の排出口６１ｆとは、平面視Ｕ状をなす共通流路６１ｇによって連結されている。共通流路６１ｇは流路部材６１の内部に形成されており、各圧力室６１ｃに連なる。
【００２６】
第２フレーム６２は、エポキシ樹脂などの樹脂で成型された成型品である。第２フレーム６２は、左右方向に長い矩形状をなし、中央に上下方向に貫通する第２大孔６２ａが設けられている。第２フレーム６２には、上下方向に貫通する４つの円形の第２小孔６２ｂと、６つの円形の第１螺子挿通孔６２ｃとが設けられている。４つの第２小孔６２ｂと、一の第１螺子挿通孔６２ｃとは、前後方向に沿って並んでいる。この一の第１螺子挿通孔６２ｃは前後方向における右辺部の中央に位置する。すなわち２つの第１小孔６２ｂと、他の２つの第１小孔６２ｂとの間に、一の第１螺子挿通孔６２ｃが位置している。他の第１螺子挿通孔６２ｃは、第２フレーム６２の４つの角部分夫々と、後辺部の長手方向中央部とに位置している。各第１螺子挿通孔６２ｃは、各螺子穴６０ｃに整合している。
【００２７】
図７に示すように、第２フレーム６２の下面は、２つの平面６２０（６２０ａ，６２０ｂ）と、４つの平面６２１（６２１ａ〜６２１ｄ）と、２つの平面６２５（６２５ａ，６２５ｂ）と、５つの平面６２６（６２６ａ〜６２６ｅ）とを有する。
【００２８】
平面６２０ａは、第２大孔６２ａの左辺部と、後辺部の左側の部分と、前辺部の左側の部分とを囲むように位置している。平面６２０ｂは、第２大孔６２ａの右辺部と、後辺部の右側の部分と、前辺部の右側の部分とを囲むように位置している。平面６２５ａは、第２大孔６２ａの後辺部の左右方向における中央部分に隣接する位置に位置している。平面６２５ｂは、第２大孔６２ａの前辺部の左右方向における中央部分に隣接する位置に位置している。即ち、上下方向から見たときに、第２大孔６２ａは、２つの平面６２０（６２０ａ，６２０ｂ）と、２つの平面６２５（６２５ａ，６２５ｂ）とで、囲まれている。尚、２つの平面６２０と、２つの平面６２５とは後述のように上下方向の位置が異なる。
【００２９】
平面６２０ａは、前後方向において第２大孔６２ａの前方に位置する前側部と、前後方向において第２大孔６２ａの後方に位置する後側部と、左右方向において第２大孔６２ａの左方に位置し、前側部と後側部とを繋ぐ左側部とを有する。平面６２０ａの前側部及び後側部は、左側部よりも幅広に形成されている。
【００３０】
平面６２０ｂは、前後方向において第２大孔６２ａの前方に位置する前側部と、前後方向において第２大孔６２ａの後方に位置する後側部と、左右方向において第２大孔６２ａの右方に位置し、前側部と後側部とを繋ぐ右側部とを有する。平面６２０ｂの前側部及び後側部は、右側部よりも幅広に形成されている。
【００３１】
平面６２５ａは左右方向に長く、第２大孔６２ａの後辺に沿って位置しており、平面６２０ａの後側部と、平面６２０ｂの後側部との間に位置している。平面６２５ｂは左右方向に長く、第２大孔６２ａの前辺に沿って位置しており、平面６２０ａの前側部と、平面６２０ｂの前側部との間に位置している。また、平面６２５ａ，６２５ｂは、平面６２０ａ，６２０ｂよりも上下方向の下側に位置している。
【００３２】
５つの平面６２６ａ〜６２６ｅは、平面６２０ａ，６２０ｂよりも下側に位置し、また、平面６２５ａ，６２５ｂよりも下側に位置している。平面６２６ａ〜６２６ｅは第１フレーム６０の上面に接する。上下方向において、平面６２０ａ，６２０ｂと第１フレーム６０の上面とはオフセットしている。ここで、６つの第１螺子挿通孔６２ｃは、後述する第１溝６２２、第２溝６２３及び第３溝６２４を囲う箇所に位置しており、５つの平面６２６ａ〜６２６ｅは、第１螺子挿通孔６２ｃに対応して設けられている。
【００３３】
平面６２６ａは、前後方向に長く、第２フレーム６２の下面の右辺部に沿って設けられ、前端部及び後端部は夫々、第１螺子挿通孔６２ｃを囲っている。平面６２６ｂは、左右方向に長く、前記下面の後辺部において、左右方向中央部に設けられており、第１螺子挿通孔６２ｃを後側から囲んでいる。平面６２６ｃは、前記下面の左後端部に設けられており、対応する第１螺子挿通孔６２ｃの全周を囲んでいる。平面６２６ｄは、左前端部に設けられており、対応する第１螺子挿通孔６２ｃを左前側から囲んでいる。平面６２６ｅは、前記下面の右辺側中央に位置し、対応する第１螺子挿通孔６２ｃを囲んでいる。
【００３４】
平面６２１ａは、下面の左辺に沿って、平面６２６ｄと平面６２６ｃとの間に位置しており、第２フレーム６２の外周面に連なる。平面６２１ｂは、下面の左後側に位置し、平面６２６ｃと、平面６２６ｂとの間に位置する。平面６２１ｃは、前記下面の平面６２６ｂから、前記下面の後辺、右辺及び前辺に沿って延び、平面６２６ｄに至る。平面６２１ｄは、平面６２０ｂの右側に位置し、平面６２０ｂに連なる。４つの平面６２１は、上下方向において上述の２つの平面６２０よりも高い位置に位置している。
【００３５】
前記下面の右側において、平面６２１ｄと、平面６２１ｃとの間には、各第２小孔６２ｂを囲うように４つの矩形環状の第１溝６２２が設けられている。最も前側に位置する第１溝６２２の後辺部分は、該第１溝６２２に隣接する第１溝６２２の前辺部分と連なっている。最も後側に位置する第１溝６２２の前辺部分は、該第１溝６２２に隣接する第１溝６２２の後辺部分と連なっている。中央の２つの第１溝６２２は、前側の第１溝６２２の後辺左端部分と、後側の第１溝６２２の前辺右端部分に連なる第２溝６２３により、接続されている。
【００３６】
最も前側に位置する第１溝６２２の前辺部分と、最も後側に位置する第１溝６２２の後辺部分は、第３溝６２４により接続されている。第３溝６２４は、第２フレーム６２の平面６２０ａ，６２０ｂを囲うように、第２フレーム６２の前辺、左辺及び後辺に沿って延びている。したがって、第１溝６２２、第２溝６２３及び第３溝６２４は、全体として、第２大孔６２ａ、平面６２０ａ，６２０ｂ及び平面６２５ａ，６２５ｂを囲うように設けられている。尚、第１溝６２２の底面、第２溝６２３の底面及び第３溝６２４の底面は、上下方向において、４つの平面６２１の位置よりも高い位置にある。
【００３７】
平面６２６ａ〜６２６ｅは、第１フレーム６０の上面に接している。平面６２６ａ〜６２６ｅは、上下方向において、平面６２０ａ，６２０ｂ及び第１フレーム６０の距離を維持する。
【００３８】
図１０に示すように、第１溝６２２、第２溝６２３及び第３溝６２４には、ガスケット９が収容されている。平面６２０ａ，６２０ｂ，６２５ａ，６２５ｂは、第１溝６２２、第２溝６２３及び第３溝６２４及びガスケット９に囲われる。ガスケット９は、第１フレーム６０に接することにより、第２フレーム６２及び第１フレーム６０間を封止する。これにより、インク等の異物が、第２フレーム６２及び第１フレーム６０間に侵入することを防止できる。
【００３９】
６つの第１螺子挿通孔６２ｃは、第１溝６２２、第２溝６２３及び第３溝６２４を囲う箇所に位置しているので、第１螺子挿通孔６２ｃからインクが漏出した場合であっても、第２フレーム６２及び第１フレーム６０間に侵入することを防止できる。
【００４０】
図４に示すように、ホルダ６３は、ステンレス鋼等により形成され、左右方向に長い矩形枠状をなし、中央部に上下方向に貫通する第３貫通孔６３ａが設けられている。ホルダ６３は、上下方向に貫通する４つの第３小孔６３ｂと、６つの第２螺子挿通孔６３ｃを有する。４つの第３小孔６３ｂ及び一の第２螺子挿通孔６３ｃは、右辺部に前後方向に沿って並んでいる。この一の第２螺子挿通孔６３ｃは、前後方向における右辺部の中央に位置するように並んでいる。すなわち、２つの第３小孔６３ｂと、他の２つの第３小孔６３ｂの間に、一の第２螺子挿通孔６３ｃが位置している。
【００４１】
更に、他の第２螺子挿通孔６３ｃは、ホルダ６３の４つの角部分夫々と、後辺側の長手方向中央部に設けられている。各第２螺子挿通孔６３ｃは、螺子穴６０ｃ及び第１螺子挿通孔６２ｃに整合している。ホルダ６３は、第２フレーム６２の上面に載置され、支持板３０（図２参照）に支持されている。各第３小孔６３ｂは、各第２小孔６２ｂの径よりも小さな径を有する。
【００４２】
各パイプ６４は、円筒状をなしており、パイプ６４の下端部分は、第２フレーム６２の第２小孔６２ｂ及びホルダ６３の第３小孔６３ｂに嵌合されている。各パイプ６４の上端部分は、ホルダ６３の上面から突出している。
【００４３】
各パイプ６４は、その上端部分に取り付けられたチューブを介して、プリンタ１が備えるリザーバと連なっている。リザーバ内のインクは、パイプ６４を介して、パイプ６４に連なる第１小孔６０ｂから、第１小孔６０ｂに連なる流路部材６１の共通流路６１ｇに供給される。また、流路内のインクが、第１小孔６０ｂから、各パイプ６４を介して、リザーバに戻される。
【００４４】
第１フレーム６０と、流路部材６１と、第２フレーム６２と、ホルダ６３とは、６本の螺子６００により、互いに固定されている。各螺子６００は、第２螺子挿通孔６３ｃ及び第１螺子挿通孔６２ｃを挿通し、螺子穴６０ｃに螺合している。
【００４５】
ヘッドユニット６は、更に、ヒートスプレッダ７０及び支持部材７１を備える。ヒートスプレッダ７０は、平板状をなし、アルミニウム等の熱伝導率の高い金属により形成されている。支持部材７１は、枠状をなし、ゴム等の断熱部材により形成され、枠内にヒートスプレッダ７０を収容し、支持している。
【００４６】
第２フレーム６２には、図４に示すように、枠内の右面に、左側に張り出す支持部６２ｈが設けられている。支持部材７１は、第２フレーム６２の枠内に配され、支持部６２ｈ上に載置される。ヒートスプレッダ７０の上面は、ホルダ６３の第３大孔６２ａから露出している。
【００４７】
第１フレーム６０の枠内において、流路部材６１の上面には、シート状のアクチュエータ６５が重ねて配されている。また、ヘッドユニット６は、ＣＯＦ（Chip On Film）６６と、ＦＰＣ（Flexible Printed Circuit）６７を備える。
【００４８】
図１２に示すように、アクチュエータ６５は振動板６１ｂの上に配置されている。アクチュエータ６５には二つの圧電層６５ｃが積層されている。二枚の圧電層６５ｃの間に共通電極６５ｄが設けられている。共通電極６５ｄは常にグランド電位に保持されている。アクチュエータ６５は左右方向に並んだ複数の個別電極６５ｂを備える。複数の個別電極６５ｂは上側の圧電層６５ｃに設けられており、複数の圧力室６１ｃの上側にそれぞれ配置されている。複数の個別電極６５ｂはＣＯＦ６６とそれぞれ接続されている。
【００４９】
ＣＯＦ６６は、可撓性を有するシート状であり、載置部６６１と、一対の折返し部６６２とを含む。載置部６６１は、アクチュエータ６５の上面に載置されており、接合部材を介して接合されている。接合部材としては、両面テープやシート状の接着剤等が挙げられる。載置部６６１は、複数の接点を有する。アクチュエータ６５の上面には複数の個別電極６５ｂに対応する複数の接点や共通電極６５ｄに対応する複数の接点とが形成されている。載置部６６１の各接点は、アクチュエータ６５の上面に形成された個別電極６５ｂの接点とそれぞれバンプで電気的に接続されている。
【００５０】
一対の折返し部６６２は、載置部６６１の両端からそれぞれ上方に延出して互いに近づく方向に折り返された部分であり、アクチュエータ６５の上面に対向している。一対の折返し部６６２の上面に、一対のドライバＩＣ６６３がそれぞれ配置されている。
【００５１】
ＦＰＣ６７は、下板部６７１と、延出部６７２とを有する。延出部６７２は、下板部６７１の一面から上方に延出した部分であり、制御装置５（図１参照）と接続される。下板部６７１の下面には、コンデンサ等の複数の回路部品６７３が実装されている。
【００５２】
図４に示すように、一対の折返し部６６２の互いに対向する先端部は、ＦＰＣ６７の下板部６７１と接続されている。下板部６７１の上面には、複数の接点（図示略）が形成されている。一対の折返し部６６２の先端部には、下板部６７１の複数の接点に対応して、複数の接点が形成されている。下板部６７１の各接点は、一対の折返し部６６２の各接点と電気的に接続されている。
【００５３】
制御装置５からの制御信号は、ＦＰＣ６７及びＣＯＦ６６を介して一対のドライバＩＣ６６３に入力される。各ドライバＩＣ６６３は、上記制御信号に基づいて駆動信号を生成し、当該駆動信号をアクチュエータ６５に出力する。
【００５４】
ヘッドユニット６は、更に、押え部材６８と、付勢部材８とを備える。押え部材６８は、矩形板状をなし、載置部６６１の上面に配され、下面から突出する脚部が載置部６６１の周縁上に載置されている。載置部６６１は、押え部材６８とアクチュエータ６５との間に位置する。押え部材６８の上面には、２つの突起６８０が形成されている。押え部材６８によって、載置部６６１がアクチュエータ６５から剥がれることが防止される。
【００５５】
図１４は、付勢部材８の斜視図である。付勢部材８は、金属等で形成された弾性部材である。付勢部材８は、左右方向に長い矩形状の平板部８０と、平板部８０の各角部から延びる４つの平板状の延設部８１と、延設部８１から斜め上方にそれぞれ延びる４つの弾性部８２とを有する。平板部８０、延設部８１及び弾性部８２は、一枚の板により形成されている。
【００５６】
平板部８０には、前辺側及び後辺側に二つの孔８０ａ，８０ｂが貫設されている。孔８０ａは、円形孔であり、孔８０ｂは、孔８０ａよりも前後方向に長い長孔である。
【００５７】
各延設部８１の基端部８１ａは、平板部８０の短辺に平行に延び、先端部８１ｂは、該基端部８１ａから、左右方向に平行に、平板部８０の反対側に延びる。付勢部材８において、平板部８０の各長辺及び各長辺の両端部に位置する延設部８１の基端部８１ａにより、凹部８３が形成されている。
【００５８】
弾性部８２は、先端部８１ｂにおける基端部８１ａ側の端面から、前後方向中央部に向けて、斜め上方に突出している。各弾性部８２は、平板部８０に対して折り曲げられることによって形成されている。また、各弾性部８２の先端部は、下方へ折り曲げられている。
【００５９】
付勢部材８は、下板部６７１及びアクチュエータ６５間に配され、弾性部８２をＣＯＦ６６の折返し部６６２側に向けて、延設部８１の基端部８１ａが第１フレーム６０の上面及び平面６２０ａ，６２０ｂ間に位置するように配置されている。延設部８１の基端部８１ａは、平面６２０ａ，６２０ｂの幅広部分に配されている。したがって、平面６２０ａ，６２０ｂは、付勢部材８の周囲を囲うこととなる。以上より、付勢部材８は、上下方向において、位置決めがされ、固定される。また、平面６２５ａが平面６２６ａ〜６２０ｅに連なる部分を２つの基端部８１ａが挟み、平面６２５ｂが平面６２０ａ，６２０ｂに連なる部分を他の２つの基端部８１ａが挟んでいる。これにより、付勢部材８の左右方向への移動が規制される。
【００６０】
孔８０ａ，８０ｂには、押え部材６８の２つの突起６８０が夫々挿通する。これにより、付勢部材８の、押え部材６８に対する前後左右方向の位置ずれが抑えられる。また、孔８０ｂが長孔であるので、付勢部材８の前後方向における位置の誤差を吸収できる。更に、下板部６７１の回路部品６７３に対応する位置に凹部８３が位置するように配されている。これにより、付勢部材８及び回路部品６７３の干渉を防止することができる。
【００６１】
ＦＰＣ６７の下板部６７１が、ＣＯＦ６６の折返し部６６２と付勢部材８との間に挟まれて配置されている。また、付勢部材８の弾性部８２の折れ曲がり部分は、下板部６７１の下面に接し、弾性部８２の基端側の部分の弾性によって、下板部６７１を押し上げる。これにより、弾性部８２は、下板部６７１を介してドライバＩＣ６６３を上方（即ち、ドライバＩＣ６６３がヒートスプレッダ７０に近づく方向）に付勢する。
【００６２】
上述した構成により、ドライバＩＣ６６３は、付勢部材８によってヒートスプレッダ７０側へ付勢され、ヒートスプレッダ７０に押し付けられる。これにより、ドライバＩＣ６６３で発生した熱がヒートスプレッダ７０により放熱される。一方で、付勢部材８の延設部８１は、第２フレーム６２及び第１フレーム６０により固定されている。そのため、付勢部材８の反力は第１フレーム６０に受け止められる。
【００６３】
上述の如く構成されたプリンタ１００は、外部装置又はプリンタ１００の操作部からの作動の指示を受け付けた場合、ＲＯＭに格納されたプログラムを実行し、次の動作を行う。制御装置５は、二つのローラ４，４を作動させ、プラテン２上において記録用紙１０１を搬送する。また、制御装置５は、ＦＰＣ６７を介してＣＯＦ６６のドライバＩＣ６６３に制御信号を送信し、ドライバＩＣ６６３は該制御信号を受信する。
【００６４】
ドライバＩＣ６６３は、受信した制御信号に基づいて生成した駆動信号を、アクチュエータ６５に出力する。これにより、共通電極６５ｄ及び個別電極６５ｂの間に電圧が印加され、圧電層６５ｃが駆動し、振動板６１ｂを振動させる。振動板６１ｂの振動によって、圧力室６１ｃ内の圧力が正圧となって、吐出口６ａからインクが吐出され、また圧力室６１ｃ内の圧力が負圧となって、共通通路６１ｇから圧力室６１ｃにインクが供給される。
【００６５】
圧力室６１ｃに供給されなかったインクは、共通流路６１ｇを通って、流路部材６１の前縁部又は後縁部に沿って移動し、その後、左縁部にてＵターンし、流路部材６１の前後方向中央部を右方向に移動し、排出口６１ｆに至る。排出口６１ｆから排出されたインクはパイプ６４等を介してインクタンクに戻り、再び供給口６１ｅに供給される。
【００６６】
制御装置５は、各インクジェットヘッド３における各ヘッドユニット６の流路部材６１に対して、圧力変化を生じさせ、所定量の各色のインクを搬送される記録用紙１０１の適宜の場所に吐出する。これにより、記録用紙１０１に所望の画像が印刷される。画像が印刷された記録用紙１０１は、図示しない出力部を介して筐体１２の外部に出力される。
【００６７】
上記の構成によれば、付勢部材８により、ドライバＩＣ６６３をドライバＩＣ６６３上に配したヒートスプレッダ７０に押し当てることができる。これにより、ドライバＩＣ６６３を上側に付勢し、ドライバＩＣ６６３の上側からの加重に対し、アクチュエータ６５を保護することが可能となる。
【００６８】
平面６２０と第１フレーム６０との間に付勢部材８の延設部８１を収容することで、第２フレーム６２及び第１フレーム６０に挟んで固定することが可能になるので、付勢部材８を固定するための螺子部材及びねじ止めのスペース等が不要となり、簡素な構造で付勢部材８を固定することができる。したがって、簡素な構造でアクチュエータ６５を保護することができる。
【００６９】
ガスケット９により第２フレーム６２及び第１フレーム６０間を封止して、第２フレーム６２及び第１フレーム６０の中へのインク等の異物の侵入を防ぐことができる。付勢部材８は、平面６２６ａ〜６２６ｅに囲われているので、ガスケット９に囲われ、ヘッドユニット６の封止性が向上する。また、第２小孔６２ｂの周囲をガスケット９により封止して、第２小孔６２ｂを通流するインクが、第２小孔６２ｂの外部へ漏れることを防ぐことができる。
【００７０】
ガスケット９を囲う位置において螺子止めすることにより第１フレーム６０及び第２フレーム６３を固定するので、螺子６００が挿通する第２螺子挿通孔６３ｃは及び第１螺子挿通孔６２ｃからの異物の侵入をガスケット９により防ぎ、良好に異物の侵入を防ぐことができる。
【００７１】
第１フレーム６０及び流路部材６１を金属製とすることにより、第１フレーム６０及び流路部材６１における線膨張の影響を低減することができる。第２フレーム６２は、樹脂製であるので加工が容易であり、また、ドライバＩＣ６６３の熱を第１フレーム６０及び流路部材６１側に伝導することを抑制できる。
【００７２】
尚、上述のガスケット９はゴム部材である。しかし、ガスケットとしてゴム以外の材質のものを採用してもよい。また、付勢部材８に代えて、周縁部にゴム部材を配した平板を配してもよく、ゴム部材は、弾性部８２に対応する箇所に設ければよい。さらに前記ゴム部材に代えて、スプリング又はスポンジを配してもよい。
【００７３】
今回開示された実施の形態はすべての点で例示であって、制限的なものではないと考えられるべきである。本開示の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本開示の技術的範囲に含まれる。
【符号の説明】
【００７４】
６  ヘッドユニット（液体吐出装置）
６０  第１フレーム
６０ａ  第１大孔（第１貫通孔）
６０ｂ  第１小孔（第３貫通孔）
６０ｃ  螺子穴
６００  螺子
６１  流路部材
６２  第２フレーム
６２ａ  第２大孔（第２貫通孔）
６２ｂ  第２小孔（第４貫通孔）
６２ｃ  第１螺子挿通孔（挿通孔）
６２２  第１溝（溝）
６２３  第２溝（溝）
６２４  第３溝（溝）
６２０ａ，６２０ｂ  平面（第２部分）
６２６ａ〜６２６ｅ  平面（第３部分）
６５  アクチュエータ
６６３  ドライバＩＣ（ＩＣ）
６７１  下板部（回路基板）
６７３  回路部品
７０  ヒートスプレッダ（放熱部材、金属部材）
７１  支持部材
８  付勢部材
８１  延設部（第１部分）
８２  弾性部
８３  凹部
９  ガスケット
【図１】
2018171855.tif 000003
【図２】
2018171855.tif 000004
【図３】
2018171855.tif 000005
【図４】
2018171855.tif 000006
【図５】
2018171855.tif 000007
【図６】
2018171855.tif 000008
【図７】
2018171855.tif 000009
【図８】
2018171855.tif 000010
【図９】
2018171855.tif 000011
【図１０】
2018171855.tif 000012
【図１１】
2018171855.tif 000013
【図１２】
2018171855.tif 000014
【図１３】
2018171855.tif 000015
【図１４】
2018171855.tif 000016